(57)【要約】【課題】室内空気汚染物質を除去することのできるディスプレイフィルタ及びディスプレイ装置を提供する。【解決手段】ディスプレイモジュールが内蔵されたディスプレイ装置用ディスプレイフィルタは、ディスプレイモジュールの前方に設置される基材と、上記基材に積層される少なくとも一つの光学フィルタ層と、外部に露出する表面に形成され、室内空気汚染物質を分解する室内空気浄化層と、を備えてなる。【選択図】図１
2010145999.tif 000002
【特許請求の範囲】
【請求項１】
ディスプレイモジュールが内蔵されたディスプレイ装置に使用されるディスプレイフィルタであって、
前記ディスプレイモジュールの前方に配置される基材と、
前記基材に積層される少なくとも一つの光学フィルタ層と、
前記ディスプレイフィルタの外部に露出する表面に形成され、室内空気汚染物質を分解する室内空気浄化層と、
を備えてなることを特徴とするディスプレイフィルタ。
【請求項２】
前記室内空気浄化層は、光触媒化合物を含むことを特徴とする請求項１に記載のディスプレイフィルタ。
【請求項３】
前記光触媒化合物は、酸化チタン、酸化亜鉛、硫化カドミウム、酸化ジルコニウム、酸化錫、酸化バナジウム、三酸化タングステン、チタン酸ストロンチウムの少なくとも一種を含むことを特徴とする請求項２に記載のディスプレイフィルタ。
【請求項４】
前記室内空気浄化層は、空気中の有害な化学物質を吸着する吸着剤をさらに含むことを特徴とする請求項２に記載のディスプレイフィルタ。
【請求項５】
前記吸着剤は、活性炭またはゼオライトを含むことを特徴とする請求項４に記載のディスプレイフィルタ。
【請求項６】
前記室内空気浄化層は、有害菌を分解する抗菌物質をさらに含むことを特徴とする請求項２に記載のディスプレイフィルタ。
【請求項７】
請求項１に記載のディスプレイフィルタ、及び前記ディスプレイフィルタを介してディスプレイ光を放出するディスプレイモジュールを備えてなることを特徴とするディスプレイ装置。
【発明の詳細な説明】
【技術分野】
【０００１】
本発明は、室内空気汚染物質を除去することのできるディスプレイフィルタ及びディスプレイ装置に関する。
【背景技術】
【０００２】
近年に入り、ウェルビーイング（ｗｅｌｌ−ｂｅｉｎｇ）、シックハウス症候群（ｓｉｃｋ  ｈｏｕｓｅ  ｓｙｎｄｒｏｍｅ）などに対する関心が高まりつつあるなか、室内環境の管理や有害な室内空気汚染物質に対する研究が活発に行われている。シックハウス症候群は、新築の家または改装の家から発生する化学物質によって頭痛、疲れ、呼吸困難、喘息、皮膚炎などの症状が起こる現象のことをいう。化学物質は、ベンゼン・トルエン・クロロホルム・アセトン・スチレン・ホルムアルデヒドなどの発ガン物質を含んでいる。
【０００３】
シックハウス症候群を解決する方法として最も広く知られた方法は、室内空気を換気させることである。しかし、室内空気を換気させるためには、管理者の持続的な努力または、エアクリーナーの購入が要求される。
【０００４】
一方、シックハウス症候群を解決する他の方法としては、光触媒物質を建築資材に塗工し、その光触媒物質に接触または近接した汚染物質を酸化分解する方法が知られている。光触媒は、光に曝されると触媒作用を起こす物質であって、半導体・色素・葉緑素もその中の一つである。
【０００５】
代表的な光触媒半導体である酸化チタン（ＴｉＯ２）は、十分な光エネルギーを吸収するとその表面で発生する強い酸化作用により有害化合物、細菌などを分解する機能を持っていると知られている。しかし、建築資材に塗工された光触媒物質は、光触媒反応を起こすことができる十分な光エネルギーを吸収する必要があり、効果を発現するには非常に多くの時間がかかる。
【０００６】
そこで、シックハウス症候群を解決することのできる新規な方法の開発が急がれている実情である。
【発明の概要】
【発明が解決しようとする課題】
【０００７】
本発明は、上記のような背景から提案されたものであって、その目的は、室内空気汚染物質を除去することのできるディスプレイフィルタ及びディスプレイ装置を提供することである。
【課題を解決するための手段】
【０００８】
上記のような目的を達成するために、本発明の一実施形態によるディスプレイフィルタは、ディスプレイモジュールの前方に設置される基材と、基材に積層される少なくとも一つの光学フィルタ層と、上記ディスプレイフィルタの外部に露出する表面に形成され、室内空気汚染物質を分解する室内空気浄化層と、を備えてなる。
【０００９】
本発明の他の実施形態によるディスプレイ装置は、ディスプレイモジュールと、上記ディスプレイフィルタを備えてなる。
【発明の効果】
【００１０】
本発明によるディスプレイフィルタ及びディスプレイ装置では、外部に露出する全面に室内空気浄化層を形成することにより、光学フィルタの機能とともに室内空気汚染物質やあらゆる有害な有機物質、例えば、微生物、バクテリア、菌、ウイルスなどを除去することができるという有用な効果を奏する。
【図面の簡単な説明】
【００１１】
【図１】本発明の一実施形態によるディスプレイフィルタが適用された第１のディスプレイ装置の概略的な構造を示す図である。
【図２】本発明の他の実施形態によるディスプレイフィルタが適用された第２のディスプレイ装置の概略的な構造を示す図である。
【発明を実施するための形態】
【００１２】
本発明の前述した目的や他の目的、特徴、及びその他の長所は、添付図面とともに記述される詳細な説明から容易に理解できるであろう。なお、本発明がここで提示した好適な実施形態に限定解釈されるものではない。
【００１３】
図１は、本発明の一実施形態によるディスプレイフィルタが適用された第１のディスプレイ装置の概略的な構造を示す図である。
【００１４】
同図に示すように、本実施形態による第１のディスプレイ装置は、プラズマディスプレイパネル（Ｐｌａｓｍａ  Ｄｉｓｐｌａｙ  Ｐａｎｅｌ：ＰＤＰ）装置である。プラズマディスプレイパネル（ＰＤＰ）装置は、駆動回路基板５と、第１の基板１と第２の基板３、及び第１の基板１と第２の基板３とで挟まれる放電セル２と、を備えてなる。放電セル２にはネオン（Ｎｅ）またはキセノン（Ｘｅ）のような放電ガスが充填される。また、放電セル２の内壁と第２の基板３の内表面には蛍光物質が塗工される。蛍光物質は、放電セル２に交流電圧が印加されると、放電ガスによって発生する紫外線によって励起されて可視光線を放出する。プラズマディスプレイパネル（ＰＤＰ装置）の駆動メカニズムによれば、プラズマディスプレイパネル（ＰＤＰ）装置は、可視光線の他、電磁波（ＥＭＩ）、近赤外線（ＮＩＲ）、色純度を低下させる５８０ｎｍ〜６００ｎｍ範囲の波長を有するオレンジ光を放出する。
【００１５】
図１を参照すれば、プラズマディスプレイパネル（ＰＤＰ）装置に適用された本発明によるディスプレイフィルタ１０は、ディスプレイモジュール９の前方に設置される。図１のディスプレイフィルタ１０は、室内空気浄化層１１と、基材１２、及び少なくとも一つの光学フィルタ層、例えば反射防止フィルム１３、電磁波（ＥＭＩ）遮蔽フィルム１４、及び近赤外線（ＮＩＲ）遮蔽フィルム１５と、を備えてなる。
【００１６】
室内空気浄化層１１は、プラズマディスプレイパネル（ＰＤＰ）装置が設置された室内空間の空気汚染物質を分解する。室内空気浄化層１１は、自然光、室内灯、またはディスプレイモジュール９から放出される光に曝されると光触媒反応を起こす光触媒化合物を含んでなる。一例として、光触媒化合物は、酸化チタン、酸化亜鉛、硫化カドミウム、酸化ジルコニウム、酸化錫、酸化バナジウム、三酸化タングステン、チタン酸ストロンチウムの少なくとも一種を含む。
【００１７】
室内空気浄化層１１に含まれる光触媒化合物は、細菌やかびなどを殺したり防止することができる。例えば、二酸化チタンの結晶は、十分な光エネルギーを吸収すると電子が伝導帯に転移され、正孔が価電子帯から発生する。このような電子−正孔対は、二酸化チタンの結晶の表面にあらゆる有機物質をＣＯ２とＨ２Ｏに酸化できる水酸化ラジカルとスーパーオキシドラジカルを生成する。
【００１８】
また、室内空気浄化層１１は、空気中の毒性があるか悪臭を発生する汚染物質を吸着する吸着剤をさらに含んでいてもよい。本発明において用いられる吸着剤は、活性炭またはゼオライトからなるものであればよい。ゼオライトは、極めて明確な構造を有する多孔性結晶体であって、一般に、その骨格構造内にはシリカとアルミナを含み、その孔内には陽イオン、水分子、または他の結晶粒子を含む。
【００１９】
また、室内空気浄化層１１は、有害菌を分解または有害菌の成長を抑制する抗菌物質をさらに含んでいてよい。本発明において用いられる抗菌物質は、銀（Ａｇ）、銅（Ｃｕ）などのような金属粒子からなるものであればよい。銀（Ａｇ）、銅（Ｃｕ）などのような金属は、抗菌効果の他、光触媒粒子の電荷分離効率を高めることができる。
【００２０】
基材１２は、反射防止フィルム１３、電磁波（ＥＭＩ）遮蔽フィルム１４、及び近赤外線（ＮＩＲ）遮蔽フィルム１５を支持する。基材１２は、透明基板または透明高分子樹脂からなる基板であればよい。透明基板は、半強化ガラス基板であればよい。透明高分子樹脂の例としては、ポリエチレンテレフタレート（ＰＥＴ）、アクリル、ポリカーボネート（ＰＣ）、ウレタンアクリレート、ポリエステル、エポキシアクリレート、臭素化アクリレート、ポリ塩化ビニル（ＰＶＣ）などが挙げられる。
【００２１】
反射防止フィルム１３は、視聴者側から入射する外光が視聴者に向けて再反射することを防止することによりディスプレイ装置のコントラスト比を向上させる。反射防止フィルム１３は、可視領域において屈折率が１．５以下、好ましくは、１．４以下の低いフッ素系透明高分子樹脂やフッ化マグネシウム、シリコン系樹脂からなる単層フィルムで形成されていてよい。反射防止フィルム１３は、例えば、１／４波長の光学膜厚さを有する単層フィルムで形成されていてよい。
【００２２】
また、反射防止フィルム１３は、屈折率が異なる金属酸化物、フッ化物、シリサイド、ホウ化物、炭化物、窒化物、硫化物などの無機化合物、またはシリコン系樹脂やアクリル樹脂、フッ素系樹脂などの有機化合物の薄膜を２層以上積層してなる多層構造で実現されていてよい。
【００２３】
電磁波（ＥＭＩ）遮蔽フィルム１４は、ディスプレイモジュール９から放出され人体に有害な影響を与える電磁波（ＥＭＩ）を遮断する。電磁波（ＥＭＩ）遮蔽フィルム１４は、導電性メッシュフィルム、または金属薄膜と高屈折率透明薄膜とを積層してなる多層透明導電膜で実現されていてよい。
【００２４】
なお、金属薄膜の材料としては、金、銀、銅、パラジウムなどが挙げられ、また高屈折率の透明薄膜の材料としては、酸化インジウム、酸化錫、酸化亜鉛などが挙げられる。
【００２５】
多層透明導電膜は、近赤外線を遮断する機能を持つ。したがって、本発明のディスプレイフィルタ１０において、多層透明導電膜を電磁波（ＥＭＩ）遮蔽フィルム１４として使用した場合、近赤外線（ＮＩＲ）遮蔽フィルムなしでも電磁波（ＥＭＩ）のみならず近赤外線（ＮＩＲ）をも遮蔽することができる。
【００２６】
近赤外線（ＮＩＲ）遮蔽フィルム１５は、無線電話機やリモコンなどのような電気家電機器の誤動作を引き起こす近赤外線（ＮＩＲ）を遮蔽する。近赤外線（ＮＩＲ）遮蔽フィルム１５は、近赤外線（ＮＩＲ）を吸収する近赤外線吸収物質を含んでいる。近赤外線吸収物質の例としては、ニッケル錯体系とジアンモニウム系の混合色素、銅イオンと亜鉛イオンを含む化合物色素、シアニン系色素、アントラキノン系色素、スクアリリウム系、アゾメチン系、オキソノール、アゾ系またはベンジリデン系化合物などが挙げられる。
【００２７】
通常、プラズマディスプレイパネル（ＰＤＰ）装置では、混合ガスから発される赤色の可視光線がオレンジ色を呈する傾向がある。図１に図示していないが、本発明によるディスプレイフィルタ１０は、色補正フィルムをさらに含んでいてよい。色補正フィルムは、赤色（Ｒ）、緑色（Ｇ）、青色（Ｂ）の量を低減または調節することにより色バランスを変化または矯正する。
【００２８】
図２は、本発明の他の実施形態によるディスプレイフィルタが適用された第２のディスプレイ装置の概略的な構造を示す図である。ここで、図２に示された第２のディスプレイ装置は、液晶ディスプレイ（Ｌｉｑｕｉｄ  Ｃｒｙｓｔａｌ  Ｄｉｓｐｌａｙ；ＬＣＤ）装置である。
【００２９】
図２を参照すれば、液晶ディスプレイ（ＬＣＤ）装置に適用された本発明によるディスプレイフィルタ２０は、ディスプレイモジュール２９の前方に設置される。本発明によるディスプレイフィルタ２０は、室内空気浄化層２１と、反射防止フィルム２２と、基材２３と、を備えてなる。
【００３０】
室内空気浄化層２１は、液晶ディスプレイ（ＬＣＤ）装置が設置された室内空間の汚染物質を分解する。室内空気浄化層２１は、自然光、室内灯、またはディスプレイモジュール５から放出される光に曝されると光触媒反応を起こす光触媒化合物を含んでなる。一例として、光触媒化合物は、酸化チタン、酸化亜鉛、硫化カドミウム、酸化ジルコニウム、酸化錫、酸化バナジウム、三酸化タングステン、チタン酸ストロンチウムの少なくとも一種を含む。
【００３１】
室内空気浄化層２１に含まれる光触媒化合物は、細菌やかびなどを殺したり防止することができる。例えば、二酸化チタンの結晶は、十分な光エネルギーを吸収すると電子が伝導帯に転移され、正孔が価電子帯から発生する。このような電子−正孔対は、二酸化チタンの結晶の表面にあらゆる有機物質をＣＯ２とＨ２Ｏに酸化できる水酸化ラジカルとスーパーオキシドラジカルを生成する。
【００３２】
また、室内空気浄化層２１は、空気中の毒性があるか悪臭を発生する汚染物質を吸着する吸着剤をさらに含んでいてもよい。本発明において用いられる吸着剤は、活性炭またはゼオライトからなるものであればよい。ゼオライトは、極めて明確な構造を有する多孔性結晶体であって、一般に、その骨格構造内にはシリカとアルミナを含み、その孔内には陽イオン、水分子、または他の結晶粒子を含む。
【００３３】
また、室内空気浄化層２１は、有害菌を分解または有害菌の成長を抑制する抗菌物質をさらに含んでいてよい。本発明において用いられる抗菌物質は、銀（Ａｇ）、銅（Ｃｕ）などのような金属粒子からなるものであればよい。銀（Ａｇ）、銅（Ｃｕ）などのような金属は、抗菌効果の他、光触媒粒子の電荷分離効率を高めることができる。
【００３４】
反射防止フィルム２２は、視聴者側から入射する外光が視聴者側に向けて再反射することを防止することによりディスプレイ装置のコントラスト比を向上させる。反射防止フィルム２２は、可視領域において屈折率が１．５以下、好ましくは、１．４以下の低いフッ素系透明高分子樹脂やフッ化マグネシウム、シリコン系樹脂の単層フィルムで形成されていてよい。反射防止フィルム２２は、例えば、１／４波長の光学膜厚さを有する単層フィルムで形成されていてよい。
【００３５】
また、反射防止フィルム２２は、屈折率が異なる金属酸化物、フッ化物、シリサイド、ホウ化物、炭化物、窒化物、硫化物などの無機化合物、またはシリコン系樹脂やアクリル樹脂、フッ素系樹脂などの有機化合物の薄膜を２層以上積層してなる多層構造で実現されていてよい。
【００３６】
基材２３は、反射防止フィルム２２を支持し、透明基板または透明高分子樹脂からなる基板であればよい。透明基板は、半強化ガラス基板であればよい。透明高分子樹脂の例としては、ポリエチレンテレフタレート（ＰＥＴ）、アクリル、ポリカーボネート（ＰＣ）、ウレタンアクリレート、ポリエステル、エポキシアクリレート、臭素化アクリレート、ポリ塩化ビニル（ＰＶＣ）などが挙げられる。
本明細書では、本発明によるディスプレイフィルタが適用されたディスプレイ装置としてプラズマディスプレイパネル（ＰＤＰ）装置と、液晶ディスプレイ（ＬＣＤ）装置のみを言及したが、有機電界発光ディスプレイ（Ｏｒｇａｎｉｃ  Ｅｌｅｃｔｒｏ  ｌｕｍｉｎｅｓｃｅｎｔ  Ｄｉｓｐｌａｙ：ＯＥＬＤ）装置にも本発明によるディスプレイフィルタを適用することができる。
【００３７】
以上、本明細書では、本発明の属する技術分野における通常の知識を有する者が本発明を容易に理解し再現できるように図面に図示した実施形態を参照して説明したが、これは例示的なものに過ぎず、当該技術分野における通常の知識を有する者ならば、本発明の実施形態から種々の変形及び均等な他の実施形態が可能であることが理解できるであろう。したがって、本発明の真正な技術的保護範囲は、特許請求の範囲によって決められるべきである。
【図１】
2010145999.tif 000003
【図２】
2010145999.tif 000004